(57)【特許請求の範囲】
【請求項１】
第１の動画像データ及び第２の動画像データが、それぞれ異なる大きさの表示領域に同時に表示される複数の端末それぞれのユーザが前記第１の動画像データ及び前記第２の動画像データそれぞれに対応して前記端末に表示された評価ボタンを押したことに応じて、前記ユーザが押した評価ボタンに対応する動画像データの評価が行われたことを示す評価情報を複数の端末それぞれから取得する取得部と、
前記評価情報に基づいて、前記第１の動画像データ及び第２の動画像データそれぞれの内容を評価する評価部と、
を有する情報処理装置。
【請求項２】
複数の前記ユーザが評価を与えた時刻に前記端末に同時に表示されていた前記第１の動画像データ及び第２の動画像データの内容を特定する特定部をさらに有し、
前記評価部は、前記取得部が取得した前記評価情報と前記特定部が特定した前記第１の動画像データ及び第２の動画像データの内容とに基づき、前記第１の動画像データ及び第２の動画像データそれぞれの内容を評価する、
請求項１に記載の情報処理装置。
【請求項３】
前記特定部は、前記第１の動画像データが示す画像である第１画像と、前記第２の動画像データが示す画像である第２画像との画像認識処理を行うことにより、前記第１の動画像データの内容と、前記第２の動画像データの内容とを特定する、
請求項２に記載の情報処理装置。
【請求項４】
前記取得部は、前記第１の動画像データ及び前記第２の動画像データが同時に表示されている前記端末から前記評価情報を取得する、
請求項１から３のいずれか一項に記載の情報処理装置。
【請求項５】
前記取得部は、前記動画像データを識別するための動画像識別情報に関連付けられた、前記ユーザにより所定の評価が与えられたことを示す前記評価情報を取得し、
前記評価部は、前記取得部が取得した前記評価情報に関連付けられている前記動画像識別情報に基づいて特定される前記第１の動画像データ及び前記第２の動画像データそれぞれの内容を評価する、
請求項１から４のいずれか一項に記載の情報処理装置。
【請求項６】
前記取得部は、前記第１の動画像データ及び前記第２の動画像データの少なくともいずれかに対応する、前記動画像データを識別するための動画像識別情報と関連付けられ、前記ユーザが定めた当該動画像データの前記端末における表示領域の大きさを示す情報を、前記評価情報として取得する、
請求項１から５のいずれか一項に記載の情報処理装置。
【請求項７】
前記取得部は、前記動画像識別情報で識別される動画像データが前記端末において相対的に大きい前記表示領域に所定時間以上表示された場合に、当該動画像データが相対的に大きい前記表示領域に所定時間以上表示されたことを示す情報を前記評価情報として取得する、
請求項６に記載の情報処理装置。
【請求項８】
前記評価部は、前記第１の動画像データに対する前記ユーザによる評価が前記第２の動画像データに対する前記ユーザによる評価よりも高いことを前記評価情報が示す場合に、前記第１の動画像データの内容が、前記第２の動画像データの内容に比べて前記ユーザの評価が高いものとして前記第１の動画像データ及び前記第２の動画像データの内容を評価する、
請求項１から７のいずれか一項に記載の情報処理装置。
【請求項９】
前記取得部は、複数の撮像装置が所定の領域を異なる方向から撮影することにより生成した前記第１の動画像データ及び前記第２の動画像データが同時に表示されている端末から、前記評価情報を取得する、
請求項１から８のいずれか一項に記載の情報処理装置。
【請求項１０】
コンピュータが実行する、
第１の動画像データ及び第２の動画像データが、それぞれ異なる大きさの表示領域に同時に表示される複数の端末それぞれのユーザが前記第１の動画像データ及び前記第２の動画像データそれぞれに対応して前記端末に表示された評価ボタンを押したことに応じて、前記ユーザが押した評価ボタンに対応する動画像データの評価が行われたことを示す評価情報を複数の端末それぞれから取得するステップと、
取得した前記評価情報に基づいて、前記第１の動画像データ及び第２の動画像データそれぞれの内容を評価するステップと、
を有する情報処理方法。
【請求項１１】
コンピュータを、
第１の動画像データ及び第２の動画像データが、それぞれ異なる大きさの表示領域に同時に表示される複数の端末それぞれのユーザが前記第１の動画像データ及び前記第２の動画像データそれぞれに対応して前記端末に表示された評価ボタンを押したことに応じて、前記ユーザが押した評価ボタンに対応する動画像データの評価が行われたことを示す評価情報を複数の端末それぞれから取得する取得部、及び、
前記評価情報に基づいて、前記第１の動画像データ及び第２の動画像データそれぞれの内容を評価する評価部、
として機能させるプログラム。
【発明の詳細な説明】
【技術分野】
【０００１】
本発明は、情報処理装置、情報処理方法及びプログラムに関する。
【背景技術】
【０００２】
従来、画像を表示できる端末に、複数のカメラで撮像された複数の動画を配信し、端末に複数の動画を表示する技術が知られている（例えば、特許文献１を参照）。
【先行技術文献】
【特許文献】
【０００３】
【特許文献１】特開平１１−２８９５３１号公報
【発明の概要】
【発明が解決しようとする課題】
【０００４】
動画の配信状況を改善したり動画の内容を改善したりするために、複数の動画の内容のうち、どの動画の内容をユーザが評価しているかを特定することが求められている。
【０００５】
そこで、本発明はこれらの点に鑑みてなされたものであり、ユーザの複数の動画の視聴状況に基づいて動画の内容を評価できるようにすることを目的とする。
【課題を解決するための手段】
【０００６】
本発明の第１の態様に係る情報処理装置は、第１及び第２の動画像データが同時に表示される複数の端末それぞれのユーザが前記第１及び第２の動画像データのどちらを評価したかを示す評価情報を複数の端末それぞれから取得する取得部と、前記評価情報に基づいて、前記第１及び第２の動画像データそれぞれの内容を評価する評価部と、を有する。
【０００７】
本発明の第２の態様に係る情報処理方法は、コンピュータが実行する、第１及び第２の動画像データが同時に表示される複数の端末それぞれのユーザが前記第１及び第２の動画像データのどちらを評価したかを示す評価情報を複数の端末それぞれから取得するステップと、取得した前記評価情報に基づいて、前記第１及び第２の動画像データそれぞれの内容を評価するステップと、を有する。
【０００８】
本発明の第３の態様に係るプログラムは、コンピュータを、第１及び第２の動画像データが同時に表示される複数の端末それぞれのユーザが前記第１及び第２の動画像データのどちらを評価したかを示す評価情報を複数の端末それぞれから取得する取得部、及び、前記評価情報に基づいて、前記第１及び第２の動画像データそれぞれの内容を評価する評価部、として機能させる。
【発明の効果】
【０００９】
本発明によれば、ユーザの複数の動画の視聴状況に基づいて動画の内容を評価することができるという効果を奏する。
【図面の簡単な説明】
【００１０】
【図１】複数のカメラが競技場に設置されている状態を示す模式図である。
【図２】複数のカメラが作成した複数の動画像データに基づく画像がディスプレイに表示された状態を示す図である。
【図３】画像処理システムのシステム構成図である。
【図４】サーバの構成を示す図である。
【図５】ユーザ端末の構成を示す図である。
【図６】評価履歴情報の一例を示す図である。
【図７】評価結果の一例を示す図である。
【図８】配信システムの動作シーケンス図である。
【発明を実施するための形態】
【００１１】
［配信システムＳの概要］
図１及び図２は配信システムＳの概要を説明するための図である。配信システムＳは、それぞれ異なるアングルから所定の領域を撮影する複数の撮像装置であるカメラＣ（図１においてはＣ１〜Ｃ５）が出力した複数の動画像データを一つの画面に表示するように、動画像を見る人（以下、「ユーザ」という）が使用するユーザ端末に配信するシステムである。カメラＣは、例えば競技が開催されている競技場、又はイベントが開催されているイベント会場に設置されており、所定の領域は、それぞれのカメラＣが撮影可能な領域である。本明細書において、複数のカメラＣ１〜Ｃ５のそれぞれを区別する必要がない場合、カメラＣと称することがある。
【００１２】
図１は、複数のカメラＣ１〜Ｃ５が競技場に設置されている状態を示す模式図である。図２は、複数のカメラＣ１〜Ｃ５が作成した複数の動画像データに基づく動画像がユーザ端末に表示された状態を示す図である。
【００１３】
配信システムＳは、複数の動画像データをユーザ端末に配信する。ユーザ端末は、複数のカメラＣが所定の領域を異なる方向から撮影することにより生成した複数の動画像データを一つの画面に同時に表示する。図２は、ユーザ端末のディスプレイにおける複数の領域Ｒ１〜Ｒ５のそれぞれに、カメラＣ１〜Ｃ５で撮影された動画像が表示されている状態を示している。図２においては、カメラＣ１で撮影された画像が、最も大きい領域Ｒ１に表示されており、他の画像は、領域Ｒ１よりも小さな領域Ｒ２〜Ｒ５に表示されている。また、複数の領域Ｒ１〜Ｒ５には、動画像を評価するための評価ボタンｉが表示されている。評価ボタンｉを押下することによりユーザ端末のユーザは動画像を評価することができる。
【００１４】
配信システムＳは、複数の動画像データを一つの画面に表示しているユーザ端末において、当該動画像データに対して過去に与えられた評価に基づいて、複数の動画像データのそれぞれの内容を評価することができるという特徴を有する。例えば、カメラＣ３で撮像された動画像データに対し、複数のユーザにより相対的に良い評価が与えられており、当該動画像データの内容がＸチームを示しているとともに当該動画像データとは異なる動画像データの内容がＹチームを示している場合、ＹチームよりもＸチームの評価が高いと評価する。このようにすることで、配信システムＳは、ユーザの複数の動画の視聴状況に基づいて動画像の内容を評価することができる。
【００１５】
［配信システムＳの構成］
以下、配信システムＳの構成を説明する。図３は、配信システムＳのシステム構成図である。配信システムＳは、複数のカメラＣ（Ｃ１〜Ｃ５）と、情報処理装置としてのサーバ１と、ユーザ端末２とを有する。複数のカメラＣ、サーバ１及びユーザ端末２は、ネットワークＮを介して各種のデータを送受信する。ネットワークＮは、インターネット又は携帯電話網等を含む。
【００１６】
［サーバ１の構成］
図４は、サーバ１の構成を示す図である。サーバ１は、通信部１１と、記憶部１２と、制御部１３とを有する。制御部１３は、配信部１３１、取得部１３２、特定部１３３及び評価部１３４を有する。
【００１７】
通信部１１は、ネットワークＮを介して複数のカメラＣ及びユーザ端末２との間でデータを送受信するための通信インターフェースを有する。通信部１１は、複数のカメラＣから受信した複数の動画像データを取得部１３２に入力する。また、通信部１１は、配信部１３１から入力された配信用の動画像データを、ネットワークＮを介してユーザ端末２へと送信する。
【００１８】
記憶部１２は、ＲＯＭ（Read Only Memory）、ＲＡＭ（Random Access Memory）及びハードディスク等の記憶媒体を有する。記憶部１２は、制御部１３が実行するプログラムを記憶している。
【００１９】
また、記憶部１２は、通信部１１が受信した動画像データを記憶する。具体的には、記憶部１２は、一つの画面に表示させる複数の動画像データと、当該動画像データの動画像ＩＤと、当該一つの画面に対応するコンテンツを識別するコンテンツＩＤとを関連付けて、コンテンツ情報として記憶させる。
【００２０】
制御部１３は、例えばＣＰＵ（Central Processing Unit）を有しており、記憶部１２に記憶されたプログラムを実行することにより、配信部１３１、取得部１３２、特定部１３３及び評価部１３４として機能する。制御部１３の各部の動作の詳細については後述する。
【００２１】
［ユーザ端末２の構成］
図５は、ユーザ端末２の構成を示す図である。ユーザ端末２は、操作部２１と、表示部２２と、通信部２３と、記憶部２４と、制御部２５とを有する。制御部２５は、動画像データ取得部２５１と、表示制御部２５２と、評価情報送信部２５３とを有する。
【００２２】
操作部２１は、ユーザの操作を受け付ける操作デバイスであり、例えば表示部２２の表面に設けられたタッチパネルである。操作部２１は、ユーザがタッチした位置を示す信号を制御部２５に通知する。表示部２２は、各種の情報を表示するディスプレイである。
【００２３】
通信部２３は、ネットワークＮを介してサーバ１との間でデータを送受信するための通信インターフェースを有する。通信部２３は、サーバ１から受信した動画像データを動画像データ取得部２５１に入力する。
【００２４】
記憶部２４は、ＲＯＭ（Read Only Memory）、ＲＡＭ（Random Access Memory）及びハードディスク等の記憶媒体を有する。記憶部２４は、制御部２５が実行するプログラムを記憶している。また、記憶部２４は、サーバ１が配信する動画像を視聴するための動画像視聴アプリケーションを記憶する。
【００２５】
制御部２５は、例えばＣＰＵ（Central Processing Unit）を有しており、記憶部２４に記憶されたプログラムを実行することにより、動画像データ取得部２５１、表示制御部２５２、及び評価情報送信部２５３として機能する。
【００２６】
動画像データ取得部２５１は、通信部２３を介して一つの画面に表示させる複数の動画像データをサーバ１から取得する。動画像データ取得部２５１は、サーバ１が配信する動画像データを視聴するための動画像視聴アプリケーションが実行されている状態で、操作部２１を介してユーザが視聴する競技やイベント等のコンテンツの選択を受け付ける。動画像データ取得部２５１は、選択されたコンテンツを識別するためのコンテンツＩＤを含み、当該コンテンツの取得要求をサーバ１に送信する。動画像データ取得部２５１は、サーバ１から送信された、選択されたコンテンツに対応する複数の動画像データを取得する。
【００２７】
表示制御部２５２は、動画像データ取得部２５１が取得した複数の動画像データを表示部２２に表示させる。表示制御部２５２は、複数の動画像データのそれぞれが示す動画像を図２に示すように一つの画面に集約し、当該画面を表示部２２に表示させる。一つの画面に含まれる複数の動画像データのそれぞれの領域には、ユーザが動画像に対して良い評価を行うための評価ボタンが表示される。また、表示制御部２５２は、操作部２１を介したユーザの操作に応じて、最も大きく表示させる動画像データを切り替える。
【００２８】
評価情報送信部２５３は、ユーザが評価ボタンを押下したことに応じて、押下された評価ボタンに対応する動画像の評価が行われたことを示す評価情報をサーバ１に送信する。評価情報には、評価を行ったユーザを識別するためのユーザＩＤと、評価が行われた動画像データであって、複数のカメラＣが所定の領域を撮影することにより生成された動画像データを識別するための動画像識別情報としての動画像ＩＤとが含まれている。
【００２９】
［制御部１３の各部の動作］
続いて、制御部１３の各部の動作について説明する。
配信部１３１は、ユーザ端末２からコンテンツの取得要求を取得すると、記憶部１２に記憶されているコンテンツ情報を参照し、コンテンツの取得要求に含まれているコンテンツＩＤに関連付けられている複数の動画像データを特定する。配信部１３１は、特定した複数の動画像データを一つの画面に表示するように、ユーザ端末２にストリーミング配信する。配信部１３１は、ユーザ端末２に配信している複数の動画像データの表示開始時刻からの経過時間を計時する。配信部１３１は、経過時間として、動画像データの再生時間（再生位置）を特定してもよい。
【００３０】
取得部１３２は、第１及び第２の動画像データを含む複数の動画像データが同時に表示される複数のユーザ端末２それぞれのユーザが第１及び第２の動画像データのどちらを評価したかを示す評価情報を、複数のユーザ端末２それぞれから取得する。取得部１３２は、動画像データを識別するための動画像ＩＤに関連付けられた、ユーザにより所定の評価が与えられたことを示す評価情報をユーザ端末２から取得する。
【００３１】
具体的には、取得部１３２は、一つの画面に複数の動画像データを表示している一以上のユーザ端末２のそれぞれから評価情報を受信することにより、評価情報に含まれる動画像ＩＤ及びユーザＩＤを取得する。また、取得部１３２は、ユーザ端末２から評価情報を受信した時刻を評価付与時刻として取得する。評価付与時刻は、例えば、動画像データがユーザ端末２に配信された時刻からの経過時間を示すものとする。評価付与時刻は、配信された時刻からの経過時間に限らず、動画像データの再生時間（再生位置）であってもよい。
【００３２】
取得部１３２は、取得したユーザＩＤと、動画像ＩＤと、当該動画像ＩＤに対応するコンテンツＩＤと、評価付与時刻とを関連付けて評価履歴情報として記憶部１２に記憶させる。図６は、評価履歴情報の一例を示す図である。図６に示すように、コンテンツＩＤと、ユーザＩＤと、動画像ＩＤと、評価付与時刻とが関連付けられていることが確認できる。
【００３３】
なお、取得部１３２は、一つの画面に複数の動画像データを表示しているユーザ端末２において、動画像データが表示されているタイミングで評価情報を取得することとしたが、これに限らない。取得部１３２は、動画像データの表示が完了してから、複数の動画像データのいずれかを評価したことを示す評価情報を取得してもよい。
【００３４】
また、取得部１３２は、ユーザ端末２において評価ボタンが押下されたことに応じてユーザ端末２から送信された情報を評価情報として取得したが、評価情報はこれに限らない。取得部１３２は、第１及び第２の動画像データの少なくともいずれかに対応する動画像ＩＤと関連付けられ、ユーザが定めた当該動画像データのユーザ端末２における表示領域の大きさを示す情報を、評価情報として取得してもよい。
【００３５】
例えば、取得部１３２は、複数の動画像データを表示する一つの画面における、複数の表示領域それぞれの大きさを示す表示領域情報と、複数の表示領域のそれぞれに表示されている動画像データの動画像ＩＤと、ユーザＩＤとを関連付けた情報を評価情報としてユーザ端末２から取得してもよい。また、取得部１３２は、ユーザ端末２において最も大きい表示領域に表示されている動画像データの動画像ＩＤと、ユーザＩＤとを関連付けた情報を評価情報として取得してもよい。
【００３６】
相対的に大きい表示領域に表示されている動画像データは、他の動画像データに比べてユーザに評価されている可能性が高い。したがって、サーバ１は、表示領域情報と動画像ＩＤとユーザＩＤとを関連付けた情報を評価情報として取得することにより、ユーザが評価している可能性が高い動画像データを特定することができる。
【００３７】
また、取得部１３２は、所定の動画像データがユーザ端末２において相対的に大きい表示領域に所定時間以上表示された場合に、当該動画像データの動画像ＩＤと関連付けられ、当該動画像データが相対的に大きい表示領域に所定時間以上表示されたことを示す情報を評価情報として取得してもよい。この場合、ユーザ端末２の評価情報送信部２５３は、所定の動画像データがユーザ端末２において相対的に大きい表示領域に所定時間以上表示された場合に、当該動画像データの動画像ＩＤと、ユーザＩＤとを含み、相対的に大きい表示領域に表示されている動画像データを通知する通知情報をサーバ１に送信する。サーバ１の取得部１３２は、当該通知情報を評価情報として取得する。このようにすることで、サーバ１は、長時間にわたって相対的に大きい表示領域に表示されている動画像データをユーザに評価されている動画像データとして特定することができる。
【００３８】
特定部１３３は、ユーザが評価を与えた時刻にユーザ端末２に同時に表示されていた第１及び第２の動画像データの内容を特定する。具体的にはまず、特定部１３３は、評価履歴情報を参照し、評価付与時刻を特定する。続いて、特定部１３３は、特定した評価付与時刻においてユーザ端末２に同時に表示されていた第１の動画像データが示す画像である第１画像と、第２の動画像データが示す画像である第２画像との画像認識処理を行うことにより、第１の動画像データの内容と、第２の動画像データの内容とを特定する。
【００３９】
動画像データが競技を撮影したものである場合、動画像データの内容は、例えば、競技チーム、競技チームのユニフォーム、選手である。また、動画像データがコンサート等のイベントを撮影したものである場合、動画像データの内容は、例えば、イベントの出演者である。特定部１３３は、動画像データが示す画像を解析することにより、選手や出演者の表情の特徴量を特定してもよい。また、複数の動画像データに対してメタ情報が付されている場合、特定部１３３は、動画像データに付されているメタ情報に基づいて動画像データの内容を特定してもよい。
【００４０】
評価部１３４は、取得部１３２が取得した評価情報に基づいて、ユーザ端末２に同時に表示されていた複数の動画像データに含まれる第１及び第２の動画像データそれぞれの内容を評価する。評価部１３４は、取得部１３２が複数のユーザ端末２それぞれから取得した評価情報と、評価情報に関連付けられている動画像ＩＤに基づいて特定される第１動画像データと第２動画像データに対して特定部１３３が特定した第１及び第２の動画像データの内容とに基づき、第１及び第２の動画像データそれぞれの内容を評価する。
【００４１】
評価部１３４は、複数の動画像データのうち、第１の動画像データに対するユーザによる評価が、第２の動画像データに対するユーザによる評価よりも高いことを評価情報が示す場合に、特定部１３３が特定した第１の動画像データの内容が、特定部１３３が特定した第２の動画像データの内容に比べて評価が高いものとして、第１及び第２の動画像データの内容を評価する。
【００４２】
具体的には、評価部１３４は、評価履歴情報を参照し、複数のコンテンツそれぞれに対応して、複数の時間帯のそれぞれで相対的に多くのユーザにより評価が与えられた動画像データを特定する。
【００４３】
例えば、評価部１３４は、複数の時間帯のそれぞれにおいて、ユーザ端末２のユーザが評価している動画像データを特定し、特定した一つの動画像データに対して特定部１３３が特定した動画像データの内容を、第１の動画像データの内容とする。また、評価部１３４は、特定した一つの動画像データと同じ経過時間にユーザ端末２に表示されていた他の動画像データに対して特定部１３３が特定した動画像データの内容を、第２の動画像データの内容とする。評価部１３４は、複数のユーザのそれぞれに対し、第１の動画像データの内容と、第２の動画像データの内容との組み合わせを特定する。
【００４４】
ここで、評価部１３４は、特定した一つの動画像データと同じ経過時間にユーザ端末２に表示されていた他の動画像データのうち、特定した一つの動画像データの内容と対応関係にある内容を有する他の動画像データを第２の動画像データとしてもよい。例えば、コンテンツが競技に関する動画像データである場合において、特定した一つの動画像データの内容がＸチームのａ選手を示しているものとする。この場合、評価部１３４は、Xチームの他の選手であるｂ選手を示している動画像データを第２の動画像データとしたり、Ｘチームの対戦相手のＹチームのｚ選手を示している動画像データを第２の動画像データとしたりしてもよい。
【００４５】
評価部１３４は、複数のユーザに対して特定した第１の動画像データの内容と、第２の動画像データの内容との組み合わせを、同じ内容を示す組み合わせごとに集計し、集計数が相対的に多い組み合わせに基づいて、第１及び第２の動画像データそれぞれの内容を評価する。
【００４６】
例えば、集計数が相対的に多い組み合わせに対応する第１の動画像データの内容がＸチームのａ選手を示しており、第２の動画像データの内容がＸチームのｂ選手を示している場合、評価部１３４は、ａ選手の評価がｂ選手の評価よりも高いと判定する。また、集計数が相対的に多い組み合わせに対応する第１の動画像データの内容がＸチームのａ選手を示しており、第２の動画像データの内容がＹチームのｚ選手を示している場合、評価部１３４は、Ｘチームの評価がＹチームの評価よりも高いと判定する。
【００４７】
図７は、評価結果の一例を示す図である。図７に示すように、評価結果は、コンテンツＩＤと、コンテンツＩＤに対応するコンテンツに対応する複数の時間帯と、評価内容と、評価数とが関連付けられていることが確認できる。図７では、例えばＸチームがＹチームよりも評価が高く、ａ選手がｂ選手よりも評価が高いことが確認できる。評価部１３４は、出力部として機能し、評価した結果を出力する。例えば、評価部１３４は、評価した結果を評価結果情報として記憶部１２に記憶させる。
【００４８】
［配信システムＳにおける動作シーケンス］
図８は、配信システムＳの動作シーケンス図である。まず、サーバ１の配信部１３１は、ユーザ端末２に、複数の動画像データを一つの画面に表示するように配信する（Ｓ１）。
ユーザ端末２の動画像データ取得部２５１は、サーバ１から配信された複数の動画像データを取得する。複数のユーザ端末２の表示制御部２５２は、取得された複数の動画像データを一つの画面に表示させる（Ｓ２）。ユーザ端末２の表示制御部２５２は、複数の動画像データを表示する一つの画面において、複数の動画像データのそれぞれの表示領域にユーザが動画像データの評価を行うための評価ボタンを表示させる。
【００４９】
ユーザ端末２の評価情報送信部２５３は、ユーザが評価ボタンを押下したことに応じて、押下された評価ボタンに対応する動画像の評価が行われたことを示す評価情報をサーバ１に送信する（Ｓ３）。
【００５０】
サーバ１の取得部１３２は、ユーザ端末２から評価情報を受信することにより、評価情報に含まれる動画像ＩＤを取得する。また、取得部１３２は、ユーザ端末２から評価情報を受信した時刻を評価付与時刻として取得する。取得部１３２は、評価情報に含まれるユーザＩＤと、動画像ＩＤと、評価付与時刻とを関連付けて評価履歴情報として記憶部１２に記憶させる（Ｓ４）。
【００５１】
続いて、サーバ１の特定部１３３は、評価履歴情報を参照し、評価付与時刻に対応する複数の動画像データそれぞれの内容を特定する（Ｓ５）。評価部１３４は、評価履歴情報を参照し、相対的に多くの評価が与えられた動画像データに対して特定部１３３が特定した動画像データの内容と、当該動画像データとは異なる動画像データに対して特定部１３３が特定した動画像データの内容とに基づき、動画像データの内容を評価する（Ｓ６）。例えば、評価部１３４は、複数の動画像データのうち、どの動画像データが評価されているかを特定する。評価部１３４は、評価した結果を評価結果情報として記憶部１２に記憶させる（Ｓ７）。
【００５２】
［配信システムＳによる効果］
以上説明したように、本実施形態に係るサーバ１は、第１及び第２の動画像データが同時に表示されるユーザ端末２のユーザを識別するためのユーザＩＤと、当該ユーザが第１及び第２の動画像データの少なくともいずれかを評価したことを示す評価情報とを取得し、取得した評価情報と第１及び第２の動画像データの内容とに基づき、第１及び第２の動画像データそれぞれの内容を評価する。このようにすることで、サーバ１は、ユーザの複数の動画の視聴状況に基づいて動画の内容を評価することができる。
【００５３】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００５４】
１  サーバ
２  ユーザ端末
１１  通信部
１２  記憶部
１３  制御部
２１  操作部
２２  表示部
２３  通信部
２４  記憶部
２５  制御部
１３１  配信部
１３２  取得部
１３３  特定部
１３４  評価部
２５１  動画像データ取得部
２５２  表示制御部
２５３  評価情報送信部
Ｓ  配信システム
【要約】
【課題】ユーザの複数の動画の視聴状況に基づいて動画の内容を評価できるようにする。
【解決手段】サーバ１は、第１及び第２の動画像データが同時に表示される複数のユーザ端末２それぞれのユーザが第１及び第２の動画像データのどちらを評価したかを示す評価情報を複数のユーザ端末２それぞれから取得する取得部１３２と、取得部１３２が取得した評価情報に基づいて、第１及び第２の動画像データそれぞれの内容を評価する評価部１３４と、を有する。
【選択図】図４【図１】
0006934098.tif 000002
【図２】
0006934098.tif 000003
【図３】
0006934098.tif 000004
【図４】
0006934098.tif 000005
【図５】
0006934098.tif 000006
【図６】
0006934098.tif 000007
【図７】
0006934098.tif 000008
【図８】
0006934098.tif 000009